(57)【要約】【課題】簡単な操作で内容液を小分けにできる、新たな定量シリンジ型噴出器を提供する。【解決手段】本発明の定量シリンジ型噴出器１において、操作部材５０は、内向きに撓み可能な第一弾性片５５と、ピストンＰを押し込み終了位置に移動させる途中でシリンジ２の後端部に係止される係止突起５６とを備え、プランジャー本体４０は、プランジャー本体４０に押し当たった操作部材５０に対し第一弾性片５５の内面に当接することで第一弾性片５５の撓みを規制する規制部４３ｅと、シリンジ２の内面に当接する際の弾性変形でもって第一弾性片５５に押し当たり、操作部材５０が後方にスライドされた際に第一弾性片５５を内向きに撓ませて係止突起５６の係止を解除する第二弾性片４４とを有することを特徴とする。【選択図】図１
2015174010.tif 000002
【特許請求の範囲】
【請求項１】
シリンジと、該シリンジの後方より挿通されピストンを押し込んで内容液を噴出させるプランジャーとを備える定量シリンジ型噴出器であって、
前記プランジャーは、後方に向けて延びるシャフト部を有するプランジャー本体と、該シャフト部にスライド可能に保持され押圧力を付与することで該プランジャー本体に押し当たって前記ピストンを押し込む操作部材とを備え、
該操作部材は、前方へ向けて延びるとともに内向きに撓み可能な第一弾性片と、該第一弾性片の外面から突出し該ピストンを押し込み終了位置に移動させる途中で前記シリンジの後端部に係止される係止突起とを備え、
該プランジャー本体は、該シャフト部の外面に形成されるとともに、該プランジャー本体に押し当たった該操作部材に対し該第一弾性片の内面に当接することで該第一弾性片の撓みを規制する規制部と、後方に向けて延び該シリンジの内面に当接する際の弾性変形でもって該第一弾性片に押し当たり、該操作部材がプランジャー本体に対して後方にスライドされた際に該第一弾性片を内向きに撓ませて該係止突起の係止を解除する第二弾性片とを有する定量シリンジ型噴出器。
【請求項２】
前記規制部は、後方へ向かうにつれ内側に傾く傾斜面を有する請求項１に記載の定量シリンジ型噴出器。
【発明の詳細な説明】
【技術分野】
【０００１】
本発明は、シリンジと、このシリンジの後方より挿通されピストンを押し込んで内容液を噴出させるプランジャーとを備える定量シリンジ型噴出器に関するものである。
【背景技術】
【０００２】
薬液等の内容液を噴出させるシリンジ型噴出器においては、内容液を小分けにして噴出させたいとの要望がある。これに対し出願人は、特許文献１において、前方にピストンを有し、後方に弾性アーム（弾性片）を有するプランジャー本体（第１シャフト部材）と、このプランジャー本体の後方に配置され、弾性アームを前方に向けて押圧する操作部材（第２シャフト部材）とからなるプランジャーを備え、この弾性アームに、シリンジの内周面を摺動しながら弾性アームを内向きに撓ませる摺動突起と、シリンジに係止されてプランジャーの押し込みを一時停止させる係止突起とを設けた定量シリンジ型噴出器を提案している。
【先行技術文献】
【特許文献】
【０００３】
【特許文献１】特開２０１３−２０８６０３号公報
【発明の概要】
【発明が解決しようとする課題】
【０００４】
特許文献１の定量シリンジ型噴出器によれば、一時停止したプランジャーに対し、操作部材への押し込みを緩める（操作部材を後方へ引き戻してもよい）ことによって再度プランジャーを押し込むことができるので、操作が簡単になるという優れた利点がある。出願人が検討を重ねたところ、このような簡単な操作で内容液を小分けにできる定量シリンジ型噴出器は、特許文献１に記載のもののみならず、他の仕組みでも実現できることを見出した。
【０００５】
本発明は、簡単な操作で内容液を小分けにできる、新たな定量シリンジ型噴出器を提供することを目的とする。
【課題を解決するための手段】
【０００６】
本発明は、シリンジと、該シリンジの後方より挿通されピストンを押し込んで内容液を噴出させるプランジャーとを備える定量シリンジ型噴出器であって、
前記プランジャーは、後方に向けて延びるシャフト部を有するプランジャー本体と、該シャフト部にスライド可能に保持され押圧力を付与することで該プランジャー本体に押し当たって前記ピストンを押し込む操作部材とを備え、
該操作部材は、前方へ向けて延びるとともに内向きに撓み可能な第一弾性片と、該第一弾性片の外面から突出し該ピストンを押し込み終了位置に移動させる途中で前記シリンジの後端部に係止される係止突起とを備え、
該プランジャー本体は、該シャフト部の外面に形成されるとともに、該プランジャー本体に押し当たった該操作部材に対し該第一弾性片の内面に当接することで該第一弾性片の撓みを規制する規制部と、後方に向けて延び該シリンジの内面に当接する際の弾性変形でもって該第一弾性片に押し当たり、該操作部材がプランジャー本体に対して後方にスライドされた際に該第一弾性片を内向きに撓ませて該係止突起の係止を解除する第二弾性片とを有する定量シリンジ型噴出器である。
【０００７】
前記規制部は、後方へ向かうにつれ内側に傾く傾斜面を有することが好ましい。
【発明の効果】
【０００８】
本発明の定量シリンジ型噴出器において、プランジャーは、プランジャー本体と操作部材を備えるものである。また、操作部材に設けた第一弾性片の係止突起が、ピストンを押し込み終了位置に移動させる途中でシリンジの後端部に係止されるようにし、プランジャー本体は、シャフト部の外面に形成され、プランジャー本体に押し当たった操作部材に対し第一弾性片の内面に当接することで第一弾性片の撓みを規制する規制部と、シリンジの内面に当接する際の弾性変形でもって第一弾性片の前方端部に押し当たる第二弾性片を備えている。このように構成することで、操作部材の押し込みを一時停止させることができ、また、操作部材への押し込みを緩めることによって、操作部材がプランジャー本体に対して後方にスライドされた際に第一弾性片が内向きに撓むことになるので、係止突起の係止が解除される。
【０００９】
規制部に、後方へ向かうにつれ内側に傾く傾斜面を設ける場合は、撓みを規制されていた第一弾性片に対してこの傾斜面によって内向きへの撓みを誘導させることができるので、係止状体の解除がより確実なものとなる。
【図面の簡単な説明】
【００１０】
【図１】本発明に従う定量シリンジ型噴出器の一実施形態につき、（ａ）は正面視での断面図及びその一部拡大図であり、（ｂ）は平面図である。
【図２】図１に示すプランジャーに関し、プランジャー本体の一部と操作部材とを模式的に示した分解斜視図である。
【図３】図１に示す定量シリンジ型噴出器に関し、プランジャーを押し込んでいく状況を説明する、（ａ）は１回目の噴出が終了した状態を示す断面図であり、（ｂ）は２回目の噴出を開始するために操作部材の押し込みを緩めた状態を示す断面図であり、（ｃ）は２回目の噴出が終了した状態を示す断面図である。
【発明を実施するための形態】
【００１１】
以下、図面を参照して、本発明の定量シリンジ型噴出器を説明する。なお、本明細書、特許請求の範囲、及び要約書において、前方とは、図１に示すシリンジ本体１０を基準とする場合にノズル２０が位置する向きであり、後方とはその逆側の向きである。
【００１２】
図１中、符号１は、本発明に従う定量シリンジ型噴出器の一実施形態を示す。定量シリンジ型噴出器１は、シリンジ２と、シリンジ２の後方より挿通されるプランジャー３とを備えている。本実施形態におけるシリンジ２は、シリンジ本体１０と、シリンジ本体１０の前方に取り付けられるノズル２０と、シリンジ本体１０の後方に取り付けられるホルダー３０によって構成されている。また、プランジャー３は、プランジャー本体４０と、プランジャー本体４０の前方に取り付けられるピストンＰと、プランジャー本体４０の後方に取り付けられる操作部材５０によって構成されている。
【００１３】
シリンジ本体１０は、例えば合成樹脂やガラスによって形成される。シリンジ本体１０は、内容液（例えば点鼻薬等）Ｍを充填可能な中空形状（本実施形態では円筒状）の胴部１１を有し、この胴部１１には、肩部１２を介して胴部１１よりも小径となる先端部１３が一体に繋がる。先端部１３の内側には、貫通孔１４が形成されている。また胴部１１の後端部には、胴部１１の外周面から径方向（定量シリンジ型噴出器１の中心軸線Ｏに対して直交する向き）外側に突出するフランジ部１５が設けられている。
【００１４】
ノズル２０は、先端部１３に取り外し可能に嵌合するノズル本体２１を有する。ノズル本体２１には、ノズルチップ２２が内蔵されている。またノズル本体２１の前方には、ノズルチップ２２に通じる噴出口２３が形成されている。
【００１５】
ホルダー３０は、本実施形態では合成樹脂によって形成している。ホルダー３０は、径方向外側に向けて延びるとともに、その内部にフランジ部１５を収容保持する凹部３１ａを有する板状の指掛け部３１を備えている。指掛け部３１は、周方向の一部が切り欠かれていて、ここが凹部３１ａにつながっている。これによりホルダー３０は、シリンジ本体１０に対して径方向外側から内側に向かってスライドさせるようにして取り付けられる。また、ホルダー３０の中央部には、シリンジ本体１０の内径と略等しい大きさになる円形の貫通孔３２が設けられている。
【００１６】
プランジャー本体４０は、その前方に設けられるネジ状の先端部４１と、この先端部４１に一体に連結するとともに後方に向けて延びるロッド部４２とを備えている。本実施形態におけるロッド部４２は円柱状であるが、種々の形状のものを用いることができる。例えば前方、及び後方に円板状のディスクを配置するとともに、断面十字形に組み合わせた縦長のプレートでこれらのディスクを連結するようにしたものでもよい。
【００１７】
ここで、プランジャー本体４０の前方には、先端部４１に保持されるピストン（ガスケット）Ｐが設けられている。ピストンＰは、例えばゴムなどの弾性材料からなり、シリンジ本体１０の内面に摺動可能に当接する。ピストンＰとシリンジ本体１０との間には、内容液Ｍを充填する充填空間Ｓが形成される。
【００１８】
プランジャー本体４０の後方には、ロッド部４２の後端面中央から後方に向けて延びるシャフト部４３が設けられている。図２に示すようにシャフト部４３は、ロッド部４２に一体に連結する大径部４３ａと、大径部４３ａに一体に連結するともに大径部４３ａよりも径の小さい小径部４３ｂとを有する。また小径部４３ｂの後端部には、小径部４３ｂよりも大径になるヘッド４３ｃが設けられていて、ヘッド４３ｃは、前方から後方に向かって先細りとなる傾斜面４３ｄを有する。
【００１９】
大径部４３ａと小径部４３ｂとの連結部には、図１の拡大図に示すように、シャフト部４３の外面から突出する（小径部４３ｂの外面から突出する）段差部（規制部）４３ｅが設けられている。規制部４３ｅの突出量（外径）は、大径部４３ａの外径よりも小さくなっている。また、規制部４３ｅには、後方へ向かうにつれ内側に傾く傾斜面４３ｆが形成されている。
【００２０】
図２に示すようにロッド部４２の後端部には、板状をなし、後方に向けて延びる弾性片（第二弾性片）４４が設けられている。本実施形態の第二弾性片４４は、撓みやすく、また復元しやすい肉厚に形成されている。第二弾性片４４の前方端部４４ａは、ロッド部４２の後端部に一体に連結して第二弾性片４４が撓む際の固定端として機能し、後方端部４４ｂは自由端として機能する。後方端部４４ｂは、規制部４３ｅよりも後方に位置している。また本実施形態では、２つの第二弾性片４４が、シャフト部４３を挟んで対向する位置に設けられている。
【００２１】
また第二弾性片４４は、径方向外側に向けて突出する摺動突起４５を有する。摺動突起４５の外径は、シリンジ本体１０の内径よりも大きくなるように設定されている。また、摺動突起４５は、第二弾性片４４の前方端部４４ａに向かって先細りに傾斜する傾斜面４５ａを有する。このような構成により、プランジャー本体４０がホルダー３０の貫通孔３２に押し込まれる際、図１に示すように傾斜面４５ａが貫通孔３２の縁部に接触し、第二弾性片４４における内向きの撓みを誘発させることができるので、第二弾性片４４をシリンジ本体１０内へ容易に進入させることができる。
【００２２】
操作部材５０は、図２に示すように前方が後方よりも小径となる段付き円筒状の本体５１を有し、本体５１の後端には、使用者が指を直接押し当てる部位となる円板状のフランジ部５２が一体に設けられている。本体５１の内周面には径方向内側に向けて突出する環状突起５３が設けられている。本体５１の内径は、シャフト部４３のヘッド４３ｃの外径と同等又は僅かに大きく設定されていて、環状突起５３の径方向内側端における内径は、小径部４３ｂの外径と同等以上ヘッド４３ｃの外径未満に設定されている。また、環状突起５３の軸線方向長さは、小径部４３ｂの軸線方向長さに以下に設定されている。これにより、シャフト部４３を本体５１に挿入することで、操作部材５０は、プランジャー本体４０に対してスライド可能に抜け止め保持される。なお、シャフト部４３を本体５１に挿入する際、シャフト部４３の傾斜面４３ｄが環状突起５３に接触してヘッド４３ｃに対する乗り越えを誘導するので、組み立て作業が容易になる。
【００２３】
また、本体５１には、本体５１の前方端５１ａから後方に向かう切欠き５４が形成されている。本実施形態では、第二弾性片４４に対応して軸線Ｏを挟んで向かい合う２箇所の位置に形成されている。切欠き５４は、第二弾性片４４の横幅よりも僅かに広い幅を有し、第二弾性片４４を動作可能に収容することで、第二弾性片４４の径方向に沿った動きを保証する。
【００２４】
また、本体５１における切欠き５４の後方には、板状をなし、前方に向けて延びる弾性片（第一弾性片）５５が設けられている。本実施形態の第一弾性片５５は、撓みやすく、また復元しやすい肉厚に形成されている。第一弾性片５５の後方端部５５ａ（本実施形態では環状突起５３よりも前方に位置する）は、本体５１に一体に連結して第一弾性片５５が撓む際の固定端として機能し、前方端部５５ｂは自由端として機能する。また、第一弾性片５５の外面には、径方向外側に向けて突出する係止突起５６が設けられている。本実施形態において係止突起５６は、前方端部５５ｂの端縁に対して間隔をあけて設けられている。
【００２５】
このような構成になる定量シリンジ型噴出器１を使用するに当たっては、まず図１に示す状態で、例えば人差し指と中指を指掛け部３１にあてがい、フランジ部５２を親指で押さえて定量シリンジ型噴出器１を保持する。そして、操作部材５０を親指で押し込むと、図１の拡大図に示すように、第一弾性片５５の前方端部５５ｂが、シャフト部４３における大径部４３ａの後端面に押し当たる。これにより、プランジャー本体４０を介してピストンＰが前方に向けて押し込まれるため、充填空間Ｓ内の内容液Ｍは、貫通孔１４、及びノズルチップ２２を介して噴出口２３から噴出される（１回目の噴出開始）。なお、操作部材５０でプランジャー本体４０を押し込むには、図２に示す操作部材５０の前方端５１ａが、ロッド部４２の後端面に押し当たるようにしてもよい。
【００２６】
操作部材５０への押圧を継続し、図３（ａ）に示すように、係止突起５６がシリンジ２の後端部（本実施形態ではホルダー３０の後端部）に当接した時点で操作部材５０を押し込むことができなくなるので、充填空間Ｓに内容液Ｍを残した状態で１回目の噴出は終了する。ここで、係止突起５６を設けた第一弾性片５５は、図１の拡大図及び図３（ａ）に示すように、その内面がシャフト部４３における規制部４３ｅに当接して、内向きに撓まないように規制されている。また第二弾性片４４は、摺動突起４５がシリンジ本体１０の内周面に当接して、前方端部４４ａを起点に内向きに撓んでおり、これによって後方端部４４ｂは、第一弾性片５５の前方端部５５ｂに対して径方向外側から押し当たっている。
【００２７】
次いで、操作部材５０の押し込みを緩めると、図３（ｂ）に示すように、第二弾性片４４の後方端部４４ｂが、摺動突起４５を起点として斜め内向きに弾性変形（復元）する。これにより、第一弾性片５５の前方端部５５ｂにも後方に向けて斜め内向きの力が作用し、操作部材５０を後方にスライドさせるとともに第一弾性片５５を内向きに撓ませて、ホルダー３０と係止突起５６との係止状態が自動的に解除される。なお、操作部材５０を後方へ引き戻すようにしてホルダー３０と係止突起５６との係止状態を解除してもよい。また、図１の拡大図に示すように、規制部４３ｅには傾斜面４３ｆが設けられていて、この傾斜面４３ｆによって第一弾性片５５の内向きへの撓みを誘導させることができるので、係止状態の解除がより確実に行われる。
【００２８】
そして、図３（ｂ）の状態から再び操作部材５０を押し込めば、第一弾性片５５の前方端部５５ｂが規制部４３ｅの後端面に押し当たり、プランジャー本体４０を介してピストンＰが押し込まれるため、２回目の噴出が開始される。なお、図３（ｃ）に示すように、２回目の噴出中、第一弾性片５５の前方端部５５ｂには、第二弾性片４４の後方端部４４ｂによって径方向内側に向かう力が付与され、また第一弾性片５５から突出する係止突起５６は、シリンジ本体１０の内周面に対して摺動可能に当接するか、僅かに隙間をあけた状態になっている。これにより、第一弾性片５５がプランジャー本体４０を押し込む際、第一弾性片５５が径方向外側に広がって前方端部５５ｂが規制部４３ｅの後端面から外れてしまう不具合が防止できる。
【００２９】
本発明に従う定量シリンジ型噴出器は、上述した実施形態に限定されるものではなく、特許請求の範囲に従う範囲で種々の変更が可能である。例えば、本実施形態ではシリンジ本体１０にホルダー３０を取り付けるようにしたが、シリンジ本体１０とホルダー３０とを一体化するようにしてもよい。また、第一弾性片の撓みを規制する規制部は、本実施形態のような大径部と小径部との連結部に設けた段差状のものに限られず、同一径のシャフト部から突出させた突出片の如きものでもよい。また、第一弾性片の前方端部の外周面に、前方に向かうにつれ内側に傾く傾斜面を設けたり、第二弾性片の後方端部の内周面に、後方に向かうにつれ外側に傾く傾斜面を設けたりすることで、上述した規制部の傾斜面と同様、第一弾性片の内向きへ撓みを誘導させることができる。
【産業上の利用可能性】
【００３０】
本発明は、シリンジと、シリンジ内に押し込み可能なプランジャーとを備える定量シリンジ型噴出器であれば、様々な形態のものに採用することができ、内容液も様々なものを採用することができる。
【符号の説明】
【００３１】
１  定量シリンジ型噴出器
２  シリンジ
３  プランジャー
１０  シリンジ本体
１１  胴部
１２  肩部
１３  先端部
１４  貫通孔
１５  フランジ部
２０  ノズル
２１  ノズル本体
２２  ノズルチップ
２３  噴出口
３０  ホルダー
３１  指掛け部
３１ａ  凹部
３２  貫通孔
４０  プランジャー本体
４１  先端部
４２  ロッド部
４３  シャフト部
４３ａ  大径部
４３ｂ  小径部
４３ｃ  ヘッド
４３ｄ  傾斜面
４３ｅ  段差部（規制部）
４３ｆ  傾斜面
４４  弾性片（第二弾性片）
４４ａ  前方端部
４４ｂ  後方端部
４５  摺動突起
４５ａ  傾斜面
５０  操作部材
５１  本体
５１ａ  前方端
５２  フランジ部
５３  環状突起
５４  切欠き
５５  弾性片（第一弾性片）
５５ａ  後方端部
５５ｂ  前方端部
５６  係止突起
Ｍ  内容液
Ｐ  ピストン
Ｓ  充填空間
【図１】
2015174010.tif 000003
【図２】
2015174010.tif 000004
【図３】
2015174010.tif 000005